(57)【特許請求の範囲】
【請求項１】
文字、図形、記号などの装飾形状に形成された加飾層と、
前記加飾層の上に設けられた透光性の遊色層と、
前記遊色層の上に設けられ、通過する光の輝度を低下させる減光層と、を備え、
前記遊色層は、特定の波長の光を照射したときに、当該光に応じた特定色を基調とした遊色効果を生じることを特徴とする加飾積層構造体。
【請求項２】
前記遊色層が、延在方向に並べて配置された複数の区画部分を有し、
前記複数の区画部分のうちの一の区画部分が、一の特定色を基調とした遊色効果を生じ、他の区画部分が、前記一の特定色と異なる他の特定色を基調とした遊色効果を生じるように構成されている請求項１に記載の加飾積層構造体。
【請求項３】
前記遊色層が、厚さ方向に重ねて配置された複数の層部分を有し、
前記複数の層部分のうちの一の層部分が、一の特定色を基調とした遊色効果を生じ、他の層部分が、前記一の特定色と異なる他の特定色を基調とした遊色効果を生じるように構成されている請求項１に記載の加飾積層構造体。
【請求項４】
前記減光層は、前記特定色を基調とする遊色効果による発色を視認させるが前記特定色以外の色を基調とする遊色効果による発色を視認させない請求項１に記載の加飾積層構造体。
【請求項５】
請求項１から請求項４のいずれか一項に記載の加飾積層構造体が表面に設けられていることを特徴とする筐体。
【請求項６】
請求項５に記載の筐体を備えたことを特徴とする電子機器。
【発明の詳細な説明】
【技術分野】
【０００１】
本発明は、装飾に用いられる加飾積層構造体、この加飾積層構造体が表面に設けられた筐体、および、この筐体を有する電子機器に関する。
【背景技術】
【０００２】
装飾に用いられる加飾積層構造体の一例が特許文献１に開示されている。この特許文献１に開示されている加飾積層構造体としての加飾フィルムは、基材フィルムと、該基材フィルム上に位置する、複数のシリカ粒子が規則配列してなる粒子配列体と、該粒子配列体の内部に充填されるとともに該粒子配列体を被覆している保形材とを有する。
【０００３】
この加飾フィルムは、シリカ粒子の屈折率と保形材の屈折率とを所定の範囲に設定することにより、遊色効果を視認しやすくしている。ここで遊色効果とは、オパールのようにサブミクロンオーダーのシリカ粒子が規則配列した粒子配列体に対して、可視光がブラッグ反射を起こすことで、角度によって様々な色を呈する現象のことをいう。この加飾フィルムでは、シリカ粒子径を選択することによって色調を変えることができ、特定波長の光を照射したときに当該光に応じた特定色を基調とした遊色効果を生じさせることができる。
【先行技術文献】
【特許文献】
【０００４】
【特許文献１】特開２０１３−７１４２１号公報
【発明の概要】
【発明が解決しようとする課題】
【０００５】
しかしながら、上述した加飾フィルムの遊色効果は構造色によるものであるので、特定の波長の光を照射したときに、基調となる上記特定色のみを発色するように構成することは難しく、上記特定色以外の色も発色することがあった。
【０００６】
そこで本発明は、上記従来の課題を解決するためのものであり、特定の波長の光を照射したときに、当該光に応じた特定色以外の色の発色を抑制できる加飾積層構造体、この加飾積層構造体が表面に設けられた筐体、およびこの筐体を備えた電子機器を提供することを目的とする。
【課題を解決するための手段】
【０００７】
上記課題を解決するため、本発明の一態様は、装飾形状に形成された加飾層と、前記加飾層の上に設けられ、特定色を基調とした遊色効果を生じる透光性の遊色層と、前記遊色層の上に設けられ、通過する光の輝度を低下させる減光層と、を備えていることを特徴とする加飾積層構造体である。このような構成によれば、遊色層の上に減光層が設けられているので、減光層側から遊色層側に向けて当該遊色層に応じた特定色の波長の光を照射したときに、遊色層は特定色を強く発色し、特定色以外の色を弱く発色する。そのため、特定色は、減光層で輝度が低下されても視認でき、一方で、特定色以外の色は、減光層で輝度が低下されて視認されにくくなる。
【０００８】
上記加飾積層構造体は、前記遊色層が、延在方向に並べて配置された複数の区画部分を有し、前記複数の区画部分のうちの一の区画部分が、一の特定色を基調とした遊色効果を生じ、他の区画部分が、前記一の特定色と異なる他の特定色を基調とした遊色効果を生じるように構成されていてもよい。このようにすることで、照射する光の波長を変化させることで、部分的に遊色効果を生じさせることができるとともに、遊色効果の基調となる色を変化させることができる。
【０００９】
上記加飾積層構造体は、前記遊色層が、厚さ方向に重ねて配置された複数の層部分を有し、前記複数の層部分のうちの一の層部分が、一の特定色を基調とした遊色効果を生じ、他の層部分が、前記一の特定色と異なる他の特定色を基調とした遊色効果を生じるように構成されていてもよい。このようにすることで、照射する光の波長を変化させることで、遊色効果の基調となる色を変化させることができる。
【００１０】
本発明の別の一態様は、上記加飾積層構造体が表面に設けられていることを特徴とする筐体である。
【００１１】
本発明のさらに別の一態様は、上記筐体を備えたことを特徴とする電子機器である。
【発明の効果】
【００１２】
本発明によれば、同系色の部分のコントラストを効果的に高めることができる。
【図面の簡単な説明】
【００１３】
【図１】本発明の第１実施形態にかかる電子機器の斜視図である。
【図２】図１の電子機器に設けられた加飾積層構造体の部分断面図である。
【図３】図１の電子機器の筐体背面の部分拡大図である（白色光環境下）。
【図４】図１の電子機器の筐体背面の部分拡大図である（青色光照射状態）。
【図５】本発明の第２実施形態にかかる電子機器に設けられた加飾積層構造体の部分断面図である。
【図６】図５の電子機器の加飾積層構造体を説明する図である（青色光照射状態）。
【図７】図５の電子機器の加飾積層構造体を説明する図である（緑色光照射状態）。
【図８】図５の電子機器の加飾積層構造体を説明する図である（赤色光照射状態）。
【図９】本発明の第３実施形態にかかる電子機器に設けられた加飾積層構造体の部分断面図である。
【図１０】図９の電子機器の加飾積層構造体を説明する図である（青色光照射状態）。
【図１１】図９の電子機器の加飾積層構造体を説明する図である（緑色光照射状態）。
【図１２】図９の電子機器の加飾積層構造体を説明する図である（赤色光照射状態）。
【図１３】適用例について示す模式図である。
【図１４】本発明にかかる加飾積層構造体の一例を示す図である（白色光環境下）。
【図１５】本発明にかかる加飾積層構造体の一例を示す図である（青色光照射状態）。
【図１６】本発明にかかる加飾積層構造体の一例を示す図である（緑色光照射状態）。
【図１７】本発明にかかる加飾積層構造体の一例を示す図である（赤色光照射状態）。
【発明を実施するための形態】
【００１４】
以下、本発明の実施形態を図面に基づいて説明する。なお、以下の説明では、同一の部材には同一の符号を付し、一度説明した部材については適宜その説明を省略する。
【００１５】
（第１実施形態）
図１は、本発明の第１実施形態にかかる電子機器の斜視図である。図２は、図１の電子機器に設けられた加飾積層構造体の部分断面図である。図３は、図１の電子機器の筐体背面の部分拡大図であり、白色光環境下の状態を示す。図４は、図１の電子機器に筐体背面の部分拡大図であり、青色光を照射した状態を示す。
【００１６】
図１に示す本実施形態の電子機器１は、スマートフォンなどの携帯端末である。この電子機器１が備える筐体１０における背面側の表面１１には、加飾積層構造体２０が設けられている。
【００１７】
電子機器１の筐体１０は、箱状に形成されており、筐体１０には、当該電子機器１の機能を実現するための電子部品やプリント基板などの各種部品が収容される。筐体１０の背面側の表面１１は、黒色に着色されている。表面１１は、黒色以外に着色されていてもよい。
【００１８】
図２に示すように、加飾積層構造体２０は、筐体１０の表面１１の上に設けられた加飾層２１と、加飾層２１の上に設けられた遊色層２２と、遊色層２２の上に設けられた減光層２３と、を備えている。加飾積層構造体２０は、減光層２３側から遊色層２２側に向かって見たときに、筐体１０の表面１１および加飾層２１により表わされた文字、図形、記号などの意匠が、減光層２３および遊色層２２を透過して視認される。
【００１９】
加飾層２１は、例えば、バインダに顔料としての二酸化チタンを混合した白色インクで構成されている。加飾層２１は、白色インクが筐体１０の表面１１に塗布されることにより形成されている。加飾層２１は、例えば、赤色、青色、黄色などの白色以外の色であってもよい。また、加飾層２１は、あらかじめ着色した合成樹脂をフィルム状に形成したものなどであってもよい。加飾層２１は、例えば、「Ｎｏ．１」等の文字、図形、記号などの装飾形状に形成されている。
【００２０】
遊色層２２は、透光性を有するとともに、特定色を基調とした遊色効果を生じるように構成されている。本実施形態において、遊色層２２は、特定色として青色を基調とした遊色効果を生じるように構成されている。
【００２１】
遊色層２２としては、一例として、上記特許文献１に開示される加飾フィルムなどを用いることができ、この加飾フィルムにおいて、シリカ粒子径を選択して、青色を基調とした遊色効果を生じるものとしている。これ以外にも、加飾フィルムのシリカ粒子径を選択して、緑色を基調とした遊色効果を生じるもの、赤色を基調とした遊色効果を生じるものとしてもよい。また、上記加飾フィルム以外で、遊色層２２を構成してもよい。
【００２２】
減光層２３は、半透明または透明の合成樹脂からなり、透過する光の輝度を低下させる機能を有している。
【００２３】
上述した電子機器１は、例えば、太陽光や蛍光灯などの白色光環境下において、図３に示すように、白色光には、赤色、青色、緑色（ＲＧＢ色）が含まれており、各色について輝度が比較的低い小さな遊色効果が遊色層２２で生じているが、各色とも減光層により輝度が低下するため、遊色効果による発色は視認されない。そのため、減光層２３および遊色層２２を通じて、筐体１０の表面に対応する黒色部分２０ａおよび加飾層２１に対応する白色部分２０ｂによる意匠が主に視認される。
【００２４】
そして、青色の波長の光を照射すると、遊色層２２において青色について輝度の比較的高い大きな遊色効果が生じる。そのため、図４に示すように、遊色層２２において遊色効果により青色に発色する遊色部分２０ｃが視認される。また、このとき遊色効果による青色以外の発色は減光層２３によって輝度が低下して視認されない。また、減光層２３および遊色層２２を通じて、黒色部分２０ａおよび青味がかった白色部分２０ｂによる意匠が視認される。
【００２５】
緑色や赤色の波長の光を照射すると、遊色層２２において小さな遊色効果が生じるが減光層２３によって輝度が低下して遊色効果による発色は視認されない。そのため、減光層２３および遊色層２２を通じて、黒色部分２０ａおよび緑または赤味がかった白色部分２０ｂによる意匠が主に視認される。
【００２６】
上述した電子機器１によれば、筐体１０の表面１１に、加飾積層構造体２０が設けられている。加飾積層構造体２０は、装飾形状に形成された加飾層２１と、加飾層２１の上に設けられ、特定色としての青色を基調とした遊色効果を生じる透光性の遊色層２２と、遊色層２２の上に設けられ、通過する光の輝度を低下させる減光層２３と、を備えている。
【００２７】
このようにしたことから、遊色層２２の上に減光層２３が設けられているので、減光層２３側から遊色層２２側に向けて当該遊色層２２に応じた青色の波長の光を照射したときに、遊色層２２は青色を強く発色し、青色以外の色を弱く発色する。そのため、青色は、減光層２３で輝度が低下されても視認でき、一方で、青色以外の色は、減光層２３で輝度が低下されて視認されにくくなる。したがって、特定の波長の光を照射したときに、当該光に応じた特定色以外の色の発色を抑制できる。
【００２８】
（第２実施形態）
図５は、本発明の第２実施形態にかかる電子機器に設けられた加飾積層構造体の部分断面図である。図６〜図８は、図５の電子機器の加飾積層構造体を説明する図であって、図６は青色光を照射した状態を示し、図７は緑色光を照射した状態を示し、図８は赤色光を照射した状態を示す。また、図６〜図８の（ａ）は、加飾積層構造体の部分断面図であり、（ｂ）は筐体背面の部分拡大図である。
【００２９】
本実施形態の電子機器２は、第１実施形態と同様の携帯端末である。図５に示すように、この電子機器２が備える筐体１０における背面側の表面１１には、加飾積層構造体２０Ａが設けられている。
【００３０】
図５に示すように、加飾積層構造体２０Ａは、筐体１０の表面１１の上に設けられた加飾層２１と、加飾層２１の上に設けられた遊色層２２Ａと、遊色層２２Ａの上に設けられた減光層２３と、を備えている。加飾積層構造体２０Ａは、減光層２３側から遊色層２２Ａ側に向かって見たときに、筐体１０の表面１１および加飾層２１により表わされた文字、図形、記号などの意匠が、減光層２３および遊色層２２Ａを透過して視認される。
【００３１】
遊色層２２Ａは、透光性を有するとともに、特定色を基調とした遊色効果を生じるように構成されている。遊色層２２Ａは、その延在方向に並べて配置された複数の区画部分２２Ａ１〜２２Ａ３を有している。区画部分２２Ａ１は、特定色としての青色を基調とした遊色効果を生じるように構成され、区画部分２２Ａ２は、特定色としての緑色を基調とした遊色効果を生じるように構成され、区画部分２２Ａ３は、特定色としての赤色を基調とした遊色効果を生じるように構成されている。
【００３２】
上述した電子機器２は、上述した第１実施形態の電子機器１と同様に、例えば、太陽光や蛍光灯などの白色光環境下において、遊色効果による発色は視認されない。そのため、減光層２３および遊色層２２Ａを通じて、筐体１０の表面に対応する黒色部分２０ａおよび加飾層２１に対応する白色部分２０ｂによる意匠が主に視認される（図３）。
【００３３】
そして、青色の波長の光を照射すると、図６（ａ）に模式的に示すように、区画部分２２Ａ１において大きな遊色効果（区画部分２２Ａ１で跳ね返された矢印が、減光層２３を透過している）が生じ、区画部分２２Ａ２、２２Ａ３において小さな遊色効果（区画部分２２Ａ２、２２Ａ３で跳ね返された矢印が、減光層２３内で止まっている）が生じる。図６（ｂ）で破線で区切ることにより示される区画部分２２Ａ１を備えた領域Ｒ１において遊色効果により青色に発色する遊色部分２０ｃが視認され、領域Ｒ２、Ｒ３において遊色効果による発色は視認されない。また、減光層２３および遊色層２２Ａを通じて、黒色部分２０ａおよび青味がかった白色部分２０ｂによる意匠が視認される。
【００３４】
また、緑色の波長の光を照射すると、図７（ａ）に模式的に示すように、区画部分２２Ａ２において顕著な遊色効果が生じ、区画部分２２Ａ１、２２Ａ３において小さな遊色効果が生じる。そのため、図７（ｂ）で破線で区切ることにより示される区画部分２２Ａ２を備えた領域Ｒ２において遊色効果により緑色に発色する遊色部分２０ｃが視認され、領域Ｒ１、Ｒ３において遊色効果による発色は視認されない。また、減光層２３および遊色層２２Ａを通じて、黒色部分２０ａおよび緑がかった白色部分２０ｂによる意匠が視認される。
【００３５】
また、赤色の波長の光を照射すると、図８（ａ）に模式的に示すように、区画部分２２Ａ３において顕著な遊色効果が生じ、区画部分２２Ａ１、２２Ａ２において小さな遊色効果が生じる。そのため、図８（ｂ）で破線で区切ることにより示される区画部分２２Ａ３を備えた領域Ｒ３において遊色効果により赤色に発色する遊色部分２０ｃが視認され、領域Ｒ１、Ｒ２において遊色効果による発色は視認されない。また、減光層２３および遊色層２２Ａを通じて、黒色部分２０ａおよび赤みがかった白色部分２０ｂによる意匠が視認される。
【００３６】
上述した電子機器２によれば、加飾積層構造体２０Ａは、遊色層２２Ａが、延在方向に並べて配置された複数の区画部分２２Ａ１〜２２Ａ３を有している。各区画部分２２Ａ１〜２２２Ａ３は、それぞれ互いに異なる特定色を基調とした遊色効果を生じるように構成されている。このようにしたことから、照射する光の波長を変化させることで、部分的に遊色効果を生じさせることができるとともに、遊色効果の基調となる色を変化させることができる。
（第３実施形態）
図９は、本発明の第３実施形態にかかる電子機器に設けられた加飾積層構造体の部分断面図である。図１０〜図１２は、図９の電子機器の加飾積層構造体を説明する図であって、図１０は青色光を照射した状態を示し、図１１は緑色光を照射した状態を示し、図１２は赤色光を照射した状態を示す。また、図１０〜図１２の（ａ）は、加飾積層構造体の部分断面図であり、（ｂ）は筐体背面の部分拡大図である。
【００３７】
本実施形態の電子機器３は、第１実施形態と同様の携帯端末である。図９に示すように、この電子機器３が備える筐体１０における背面側の表面１１には、加飾積層構造体２０Ｂが設けられている。
【００３８】
図９に示すように、加飾積層構造体２０Ｂは、筐体１０の表面１１の上に設けられた加飾層２１と、加飾層２１の上に設けられた遊色層２２Ｂと、遊色層２２Ｂの上に設けられた減光層２３と、を備えている。加飾積層構造体２０Ｂは、減光層２３側から遊色層２２Ｂ側に向かって見たときに、筐体１０の表面１１および加飾層２１により表わされた文字、図形、記号などの意匠が、減光層２３および遊色層２２Ｂを透過して視認される。
【００３９】
遊色層２２Ｂは、透光性を有するとともに、特定色を基調とした遊色効果を生じるように構成されている。遊色層２２Ｂは、その厚さ方向に重ねて配置された複数の層部分２２Ｂ１〜２２Ｂ３を有している。層部分２２Ｂ１は、特定色としての青色を基調とした遊色効果が領域Ｐ１（図１０（ｂ））内で生じるように構成され、層部分２２Ｂ２は、特定色としての緑色を基調とした遊色効果が領域Ｐ２（図１１（ｂ））内で生じるように構成され、層部分２２Ｂ３は、特定色としての赤色を基調とした遊色効果が領域Ｐ３（図１２（ｂ））内で生じるように構成されている。
【００４０】
上述した電子機器３は、上述した第１実施形態の電子機器１と同様に、例えば、太陽光や蛍光灯などの白色光環境下において、減光層２３および遊色層２２Ｂを通じて、筐体１０の表面に対応する黒色部分２０ａおよび加飾層２１に対応する白色部分２０ｂによる意匠が視認される（図３）。この状態において、遊色効果による発色は視認されない。
【００４１】
そして、青色の波長の光を照射すると、図１０（ａ）に模式的に示すように、層部分２２Ｂ１において顕著な遊色効果（層部分２２Ｂ１で跳ね返された矢印が、減光層２３を透過している）が生じ、層部分２２Ｂ２、２２Ｂ３において小さな遊色効果（層部分２２Ｂ２、２２Ｂ３で跳ね返された矢印が、減光層２３内で止まっている）が生じる。そのため、図１０（ｂ）で破線で囲むことにより示される三角形状の領域Ｐ１において遊色効果により青色に発色する遊色部分２０ｃが視認され、領域Ｐ２、Ｐ３において遊色効果による発色は視認されない。また、減光層２３および遊色層２２Ｂを通じて、黒色部分２０ａおよび青味がかった白色部分２０ｂによる意匠が視認される。
【００４２】
そして、緑色の波長の光を照射すると、図１１（ａ）に模式的に示すように、層部分２２Ｂ２において顕著な遊色効果が生じ、層部分２２Ｂ１、２２Ｂ３において小さな遊色効果が生じる。そのため、図１１（ｂ）で破線で囲むことにより示される四角形状の領域Ｐ２において遊色効果により緑色に発色する遊色部分２０ｃが視認され、領域Ｐ１、Ｐ３において遊色効果による発色は視認されない。また、減光層２３および遊色層２２Ｂを通じて、黒色部分２０ａおよび緑がかった白色部分２０ｂによる意匠が視認される。
【００４３】
そして、赤色の波長の光を照射すると、図１２（ａ）に模式的に示すように、層部分２２Ｂ３において顕著な遊色効果が生じ、層部分２２Ｂ１、２２Ｂ２において小さな遊色効果が生じる。そのため、図１２（ｂ）で破線で囲むことにより示される円形状の領域Ｐ３において遊色効果により赤色に発色する遊色部分２０ｃが視認され、領域Ｐ１、Ｐ２において遊色効果による発色は視認されない。また、減光層２３および遊色層２２Ｂを通じて、黒色部分２０ａおよび赤味がかった白色部分２０ｂによる意匠が視認される。
【００４４】
上述した電子機器３によれば、加飾積層構造体２０Ｂは、遊色層２２Ｂが、厚さ方向に重ねて配置された複数の層部分２２Ｂ１〜２２Ｂ３を有している。各層部分２２Ｂ１〜２２Ｂ３は、それぞれ互いに異なる特定色を基調とした遊色効果を生じるように構成されている。このようにしたことから、照射する光の波長を変化させることで、遊色効果の基調となる色を変化させることができる。また、各層部分において、遊色効果により視認される形状を異ならせることで、装飾効果をさらに高めることができる。
【００４５】
（適用例）
次に、上記実施形態にかかる加飾積層構造体の適用例について説明する。
【００４６】
図１３には、加飾積層構造体２０が設けられた電子機器としてのコンピュータ４００の例（ノート型コンピュータ）が表される。コンピュータ４００は、ディスプレイ４１０、キーボード４２０、入力パッド４３０、本体筐体４４０、などを備える。本体筐体４４０に加飾積層構造体２０が設けられる。なお、電子機器はコンピュータに限定されず、携帯電話、タブレット型端末、テレビなど他の電子機器であってもよい。
【００４７】
以上説明したように、本実施形態に係る加飾積層構造体、筐体および電子機器によれば、特定の波長の光を照射したときに、当該光に応じた特定色以外の色の発色を抑制できる。これにより、装飾性を高めることができる。
【００４８】
図１４〜図１７に本発明にかかる加飾積層構造体の実施例の写真イメージを示す。図１４は、加飾積層構造体が白色光環境下にある状態を示し、図１５は、青色光を照射した状態を示し、図１６は、緑色光を照射した状態を示し、図１７は、赤色光を照射した状態を示す。各図から明らかなように、青色光を照射したときのみ遊色効果により青色の発色が視認され、他の色の光を照射したときは遊色効果による発色は視認されない。
【００４９】
なお、上記に本実施形態およびその適用例を説明したが、本発明はこれらの例に限定されるものではない。前述の各実施形態またはその適用例に対して、当業者が適宜、構成要素の追加、削除、設計変更を行ったものや、各実施形態の特徴を適宜組み合わせたものも、本発明の要旨を備えている限り、本発明の範囲に含有される。
【符号の説明】
【００５０】
１〜３        電子機器
１０          筐体
１１          表面
２０、２０Ａ、２０Ｂ    加飾積層構造体
２０ａ        黒色部分
２０ｂ        白色部分
２０ｃ        遊色部分
２１          加飾層
２２、２２Ａ、２２Ｂ    遊色層
２２Ａ１〜２２Ａ３      （遊色層の）区画部分
２２Ｂ１〜２２Ｂ３      （遊色層の）層部分
２３    減光層
４００        コンピュータ（電子機器）
４１０        ディスプレイ
４２０        キーボード
４３０        入力パッド
４４０        本体筐体
Ｒ１          青色を基調とした遊色効果を生じる区画部分を備えた領域
Ｒ２          緑色を基調とした遊色効果を生じる区画部分を備えた領域
Ｒ３          赤色を基調とした遊色効果を生じる区画部分を備えた領域
Ｐ１          青色を基調とした遊色効果を生じる三角形状の領域
Ｐ２          緑色を基調とした遊色効果を生じる四角形状の領域
Ｐ３          赤色を基調とした遊色効果を生じる円形状の領域
【図１】
0006438827.tif 000002
【図２】
0006438827.tif 000003
【図３】
0006438827.tif 000004
【図４】
0006438827.tif 000005
【図５】
0006438827.tif 000006
【図６】
0006438827.tif 000007
【図７】
0006438827.tif 000008
【図８】
0006438827.tif 000009
【図９】
0006438827.tif 000010
【図１０】
0006438827.tif 000011
【図１１】
0006438827.tif 000012
【図１２】
0006438827.tif 000013
【図１３】
0006438827.tif 000014
【図１４】
0006438827.tif 000015
【図１５】
0006438827.tif 000016
【図１６】
0006438827.tif 000017
【図１７】
0006438827.tif 000018